(57)【特許請求の範囲】
【請求項１】
天板下部空間（１）の奥半分を左右の半空間（３)(３）に区画する中央区画奥壁（４）を設け、上記各半空間（３）の下方部奥側に固定棚（５）を設け、上記各半空間（３）の下方部手前側に上記固定棚（５）と連続平面状に着脱自在であるとともに、上記各半空間（３）の中間高さ位置に水平状又は上記固定棚（５）の前縁（５ａ）の上方に鉛直状に着脱自在な切換帯板（６）を設け、
上記各半空間（３）を、上記切換帯板（６）を上記各半空間（３）の下方部手前側に上記固定棚（５）と連続平面状に付設して大型書籍類を収納可能とした大型書籍収納状態（Ａ）、上記切換帯板（６）を上記各半空間（３）の中間高さ位置に水平状に付設した２段棚状態（Ｂ）、及び、上記切換帯板（６）を上記各半空間（３）の中間高さ位置に上記固定棚（５）の前縁（５ａ）の上方に鉛直状に付設したマガジンラック状態（Ｃ）の内の一つに切換自在としたことを特徴とする机。
【請求項２】
天板下部空間（１）に略全体を収納可能なそで箱（２）を有する机であって、天板下部空間（１）の各半空間（３）の内幅寸法（Ｙ）、上記そで箱（２）の幅寸法（ｙ）を、Ｙ≧ｙとなるように設定した請求項１記載の机。
【発明の詳細な説明】
【０００１】
【発明の属する技術分野】
本発明は、机に関する。
【０００２】
【従来の技術】
従来、そで箱を有する机は、そで箱を机本体の天板下部空間に収納するものがあった。
【０００３】
【発明が解決しようとする課題】
しかし、そで箱を机本体の天板下部空間に収納するために、天板下部空間に設ける棚の前後幅は、小さいものであった。そして、棚は、天板下部空間の左右方向全体にわたって設けられるので、剛性不足で、撓んでしまう虞れがあった。
【０００４】
そこで、本発明は、天板下部空間に設けられる棚が撓まず、水平状態を保持することができる机を提供することを目的とする。また、使用目的に応じて棚の構成を変化させることのできる机を提供することを他の目的とする。
【０００５】
【課題を解決するための手段】
上述の目的を達成するために、本発明に係る机は、天板下部空間の奥半分を左右の半空間に区画する中央区画奥壁を設け、上記各半空間の下方部奥側に固定棚を設け、上記各半空間の下方部手前側に上記固定棚と連続平面状に着脱自在であるとともに、上記各半空間の中間高さ位置に水平状又は上記固定棚の前縁の上方に鉛直状に着脱自在な切換帯板を設け；上記各半空間を、上記切換帯板を上記各半空間の下方部手前側に上記固定棚と連続平面状に付設して大型書籍類を収納可能とした大型書籍収納状態、上記切換帯板を上記各半空間の中間高さ位置に水平状に付設した２段棚状態、及び、上記切換帯板を上記各半空間の中間高さ位置に上記固定棚の前縁の上方に鉛直状に付設したマガジンラック状態の内の一つに切換自在としたものである。
【０００６】
また、天板下部空間に略全体を収納可能なそで箱を有する机であって、天板下部空間の各半空間の内幅寸法Ｙ、上記そで箱の幅寸法ｙを、Ｙ≧ｙとなるように設定したものである。
【０００７】
【発明の実施の形態】
以下、実施の形態を示す図面に基づき、本発明を詳説する。
【０００８】
図１・図２及び図６（ハ）は、本発明の実施の一形態を示す。この机は、木製、金属製等であって、天板下部空間１に略全体を収納可能なそで箱２を有する。そで箱２は、机を使用するときには、机本体１０の外部に略隣接状に設置して使用される。そで箱２は、収納部１４…を有するとともに、そで箱２の上面２ａ上に小物やパソコン等を乗せて使用することができるので、至便である。そして、天板下部空間１の奥半分を左右の半空間３，３に区画する中央区画奥壁４が設けられる。
【０００９】
各半空間３の下方部奥側に所定前後幅Ｗの固定棚５が設けられる。各半空間３の下方部手前側に固定棚５と連続平面状に着脱自在であるとともに、各半空間３の中間高さ位置に水平状又は固定棚５の前縁５ａの上方に鉛直状に着脱自在な所定前後幅Ｗの切換帯板６が設けられる。
【００１０】
具体的には、机の左側の半空間３は、切換帯板６を各半空間３の下方部手前側に固定棚５と連続平面状に付設して大型書籍類（例えば、Ａ４サイズの書籍）を収納可能とした大型書籍収納状態Ａとされている。また、右側の半空間３が、切換帯板６を半空間３の中間高さ位置に固定棚５の前縁５ａの上方に鉛直状に付設したマガジンラック状態Ｃとされている。図１中の２点鎖線は、雑誌類Ｍを示す。
【００１１】
図３は、切換帯板６を各半空間３（図１・図２参照）の中間高さ位置に固定棚５の前縁５ａの上方に鉛直状に付設する構造を示す。７は、丸棒の両先端部８，８を同一側に凸部９，９をもって折曲げた帯板受け具を示す。中央区画奥壁４に鉛直方向に設けた孔１１，１１に両先端部８，８を差込んで、一つの帯板受け具７を付設するとともに、他の帯板受け具７を、机本体１０（図２参照）に鉛直方向に設けた孔１１，１１に両先端部８，８を差込んで付設する。
【００１２】
切換帯板６は、左右端縁に断面略半円形の未貫通溝１２，１２を有し、この左右未貫通溝１２，１２が左右帯板受け具７，７と各々上下方向にスライド自在とされている。つまり、切換帯板６の左右未貫通溝１２，１２を左右帯板受け具７，７にスライドさせたあと、左右帯板受け具７，７が切換帯板６の左右未貫通部１３，１３に当接して、切換帯板６が鉛直状に支持される。
【００１３】
図１・図２に戻って、天板下部空間１の各半空間３の内幅寸法Ｙ、そで箱２の幅寸法ｙが、Ｙ≧ｙとなるように設定される。Ｙ＜ｙのときは、そで箱２を、半空間３に収納することができない。
【００１４】
図４及び図５（ロ）は、他の使用状態を示す。すなわち、机の左側の半空間３は、切換帯板６を半空間３の中間高さ位置に水平状に付設した２段棚状態Ｂとされている。
【００１５】
すなわち、この机は、各半空間３が、上述の大型書籍収納状態Ａ、２段棚状態Ｂ、及び、マガジンラック状態Ｃの内の一つに切換自在とされる。図５〜図７に、左右半空間３，３を、大型書籍収納状態Ａ、２段棚状態Ｂ、及び、マガジンラック状態Ｃの内のどの状態とどの状態の組合せとすることができるかを示した。
【００１６】
なお、図５・図６に於て２点鎖線にて示す位置に、そで箱２を収納することもできる。また、（図４に示す）２段棚状態Ｂに於て、固定棚５の所定前後幅Ｗと切換帯板６の所定前後幅Ｗとが等しいので、同じサイズの書籍類を美しく収納することができる。
【００１７】
【発明の効果】
本発明は、上述の如く構成されるので、次に記載する効果を奏する。
【００１８】
（請求項１によれば）天板下部空間１に設けられる切換帯板６が撓まず、水平状態を保持することができる。また、各半空間３を、大型書籍収納状態Ａ、２段棚状態Ｂ、及び、マガジンラック状態Ｃの内の一つに切換えて使用することができ、至便である。また、左右半空間３，３の両方を大型書籍収納状態Ａ，Ａとする場合以外は、そで箱２を、天板下部空間１の左右半空間３，３のいずれかに略全体を収納することができる。
【００１９】
（請求項２によれば）そで箱２を、半空間３に収納することができる。
【図面の簡単な説明】
【図１】本発明の実施の一形態を示す正面図である。
【図２】斜視図である。
【図３】要部拡大正面図である。
【図４】他の使用状態を示す斜視図である。
【図５】説明平面図である。
【図６】説明平面図である。
【図７】説明平面図である。
【符号の説明】
１  天板下部空間
２  そで箱
３  半空間
４  中央区画奥壁
５  固定棚
５ａ  前縁
６  切換帯板
Ａ  大型書籍収納状態
Ｂ  ２段棚状態
Ｃ  マガジンラック状態
Ｙ  内幅寸法
ｙ  幅寸法
Ｚ  内幅寸法
【図１】
0003542783.tif 000002
【図２】
0003542783.tif 000003
【図３】
0003542783.tif 000004
【図４】
0003542783.tif 000005
【図５】
0003542783.tif 000006
【図６】
0003542783.tif 000007
【図７】
0003542783.tif 000008